(57)【要約】      （修正有）【課題】ベルトコンベヤのベルト表面に付着している残滓物を掻き落とす所で強制的かつ有効に落荷させるクリーニング装置を提供する。【解決手段】ベルトを支承するキャリヤローラとリターンローラとからなるベルトコンベヤにおいて、上記リターンベルトの付着残滓物の除去を必要とする位置に外周面の螺旋条１１が前後リターン側ベルトの表面に接触して、前記リターン側ベルトを横切るよう複数本の並列する残滓物掻き取りフリー回転のスパイラルローラＢを設け、上記リターン側ベルトの表面両側外方に両端が前記リターン側ベルトの長手方向に向くアーム１７の中間を支軸１８を介し揺動自在に支持すると共に、このアームのベルトの走行方向に向く両端間と、ベルトの走行方向の反対側に向く両端間とに上記スパイラルローラにリターン側のベルトを押し付ける押さえローラ１９を架設し、上記リターンローラに上記リターン側ベルトの表面に対する周面との接触をできるだけ低減したローラを使用した構成を採用する。【選択図】図３
0003187959.tif 000002
【実用新案登録請求の範囲】
【請求項１】
前後に位置するヘッドプーリ及びテールプーリと、このヘッドプーリとテールプーリとにかけ渡した無端状のベルトと、このベルトのキャリヤ側で、上記ベルトの裏面を支承するように並列状に配置したキャリヤローラと、ベルトのリターン側で、上記ベルトの表面を支承するように並列状に配置したリターンローラとからなるベルトコンベヤにおいて、上記リターンベルトの付着残滓物の除去を必要とする位置に外周面の螺旋条が前後リターン側ベルトの表面に接触して、前記リターン側ベルトを横切るよう複数本の並列する残滓物掻き取りフリー回転のスパイラルローラを設け、上記リターン側ベルトの表面両側外方に両端が前記リターン側ベルトの長手方向に向くアームの中間を支軸を介し揺動自在に支持すると共に、このアームのベルトの走行方向に向く両端間と、ベルトの走行方向の反対側に向く両端間とに上記スパイラルローラにリターン側のベルトを押し付ける押さえローラを架設し、上記リターンローラに上記リターン側ベルトの表面に対する周面との接触をできるだけ低減したローラを使用したことを特徴とするベルトコンベヤのクリーニング装置。
【考案の詳細な説明】
【技術分野】
【０００１】
この考案は、ベルトコンベヤのベルト表面に付着している残滓物を掻き落とす所で強制的かつ有効に落荷させるクリーニング装置に関する。
【背景技術】
【０００２】
ベルトコンベヤのキャリヤ側で搬送の終えたベルトは、ヘッドプーリを介しリターン側に反転される。
搬送物の放出を終えて反転したベルト（リターン側ベルト）の表面には、搬送物の残滓物が付着しており、この付着残滓を、放出し終えると同時にヘッドプーリの下周面に配置した掻き取りクリーナにより掻き取っている。
【０００３】
しかしながら、周知のようにベルトの表面に対しクリーナとしてのスクレーパーを加圧力を介し押し付けているので、ベルトの表面が損傷してベルトの耐久性を損ない、また時間と共にスクレーパーが摩耗してその効果は、程度の差はあっても低減してくるもので、やがては、リターンベルトに付着しつつテール部に移行することになり、その結果、プーリやリターンローラを乗り越えて接触する毎に地上（リターン側直下の略全長）に落下させることになり、この解決方法に至っては、コンベヤ設備においての半ば永遠のテーマだといえる。すなわち、リターンベルトの下の随所に落荷現象が見られ、その清掃費用は膨大なものである。
【０００４】
そこで、リターン側ベルトの全長で、かつ適当な間隔位置に付着残滓物を掻き取りながらコンベヤの側方に送り出すスパイラルローラを配置した方式や、リターンベルトとリターンローラとの接触部位を極力減少して、付着残滓物をキャリヤ側に戻すようにした方式がある（特許文献１参照）。
【先行技術文献】
【特許文献】
【０００５】
【特許文献１】特開平８−１４３１３６号公報
【考案の概要】
【考案が解決しようとする課題】
【０００６】
ところで、特許文献１の方式によると、スパイラルローラを形成するローラ本体の周面にわたって、線材を巻回することによりローラ本体の片端または両端に向って連続したスパイラル状に形成された同一高さの突起によりベルト表面の付着残滓物を掻き取ると共に、ローラ本体の片端からもう片端方向に、或いは、ローラ本体の中央部から両端に向け掻き取った残滓物を送り出すようにしている。
【０００７】
しかしながら、ローラ本体の上周面に接触しているリターン側ベルトは、走行にともない上下方向に遊動し、遊動を繰り返しながら走行する。
【０００８】
すなわち、スパイラルローラに対しリターン側ベルトが接触した状態と、非接触な状態を繰り返すことになる。
このため、非接触な状況下では、掻き取られず、掻き取られない残滓物は、前方に搬送される。
【０００９】
特にスパイラルローラを設置しない部分のリターン側ベルトは、リターンローラで支承する。
このリターンローラがリターン側ベルトの幅全長に周囲を接触させたリターンローラを配置してあるので、リターンローラの上周面をリターン側ベルトが通過する毎に発生する衝撃が、リターン側ベルトの全幅に伝わる。
【００１０】
このため、リターンローラの配置部分の下方に残滓物が落下し、清掃費用の出費になると共に、キャリヤ側ベルトに残滓物を返すことができない。
【００１１】
そこで、この考案は、上述の問題を解消したベルトコンベヤのクリーニング装置を提供することにある。
【課題を解決するための手段】
【００１２】
上記の課題を解決するために、この考案は、前後に位置するヘッドプーリ及びテールプーリと、このヘッドプーリとテールプーリとにかけ渡した無端状のベルトと、このベルトのキャリヤ側で、上記ベルトの裏面を支承するように並列状に配置したキャリヤローラと、ベルトのリターン側で、上記ベルトの表面を支承するように並列状に配置したリターンローラとからなるベルトコンベヤにおいて、上記リターンベルトの付着残滓物の除去を必要とする位置に外周面の螺旋条が前後リターン側ベルトの表面に接触して、前記リターン側ベルトを横切るよう複数本の並列する残滓物掻き取りフリー回転のスパイラルローラを設け、上記リターン側ベルトの表面両側外方に両端が前記リターン側ベルトの長手方向に向くアームの中間を支軸を介し揺動自在に支持すると共に、このアームのベルトの走行方向に向く両端間と、ベルトの走行方向の反対側に向く両端間とに上記スパイラルローラにリターン側のベルトを押し付ける押さえローラを架設し、上記リターンローラに上記リターン側ベルトの表面に対する周面との接触をできるだけ低減したローラを使用した構成を採用する。
【考案の効果】
【００１３】
以上のように、この考案のベルトコンベヤのクリーニング装置によれば、ベルトコンベヤのキャリヤ側で搬送の終えたベルトは、ヘッドプーリを介しリターン側に反転して走行し、リターン側ベルトの表面に付着している残滓物は、残滓物の除去位置に配置してあるスパイラルローラとリターン側ベルトとの接触にともない螺旋条により掻き落とすと共に、螺旋条によりベルトコンベヤの外側方に送り出す。
【００１４】
この状況下で並列するスパイラルローラの上側リターン側ベルトに上下方向の遊動が発生した際、ベルトに接触している前後片方の押さえローラが上昇すると、もう片方の押さえローラをアームの揺動にともない降下させて、スパイラルローラにベルトを押し付けようとする。
【００１５】
その結果、ベルトに遊動が発生しても走行するベルトを確実に捉えて常にスパイラルローラにベルトを押し付けて接触させようとするので、スパイラルローラによる掻き落とし効果の向上をはかることができ、リターン側ベルトのスパイラルを通過した以後のベルトに対する残滓物の掻き落としもれを著しく減少することができる。
【００１６】
このため、スパイラルローラ通過以後のキャリヤ側ベルトからの掻き落としもれ付着残滓物の落下を略皆無とし、リターン側ベルト下の大変なかつ煩雑な清掃作業にともなう大幅な出費などの問題をなくすることができる。
【００１７】
また、スパイラルローラを通過した以後のリターン側ベルトを支承するリターンローラに、リターン側ベルトに対する周面接触をできるだけ低減したローラを使用しているので、ベルトの全幅とリターンローラの全長接触による従来のような通過時の接触振動や衝撃などによる残滓物の落下を極力抑止し、キャリヤ側に返すことになる利点もある。
【図面の簡単な説明】
【００１８】
【図１】この考案の実施形態を示す側面図である。
【図２】同上のキャリヤローラを示す拡大正面図である。
【図３】スパイラルローラを示す拡大側面図である。
【図４】同上の平面図である。
【図５】同上の縦断正面図である。
【図６】スパイラルローラの他の配置を示す側面図である。
【図７】リターンローラを示す拡大正面図である。
【図８】リターンローラの他の例を示す正面図である。
【図９】リターンローラの他の例を示す正面図である。
【考案を実施するための形態】
【００１９】
この考案の実施形態を添付図面に基づいて説明する。
図１に示すＡは、ベルトコンベヤである。
【００２０】
このベルトコンベヤＡは、周知のように前後に位置するヘッドプーリ１及びテールプーリ２と、このヘッドプーリ１とテールプーリ２とにかけ渡した無端状のベルト３と、このベルト３のキャリヤ側で、ベルト３の裏面を支承するように並列状に配置したキャリヤローラ４と、ベルト３のリターン側で、ベルト３の表面を支承するように並列状に配置したリターンローラ５とで構成されている。
【００２１】
上記のキャリヤローラ４は、図２で示すように、コンベヤフレーム６の水平材７の中央部から並列状に、また水平材７の両端から起立するスタンド８にセンタローラ、登り傾斜のサイドローラをそれぞれ支持して、ベルト３をトラフ形状に支承している。
【００２２】
また、リターン側ベルト３の表面に付着した搬送物の残滓を除去する位置には、前後に複数本並列状に並べると共に、外周面の掻き落とし螺旋条１１をベルト３の表面に接触させたスパイラルローラＢが設けてある。
【００２３】
上記のスパイラルローラＢは、図３、４及び５に示すように、コンベヤフレーム６の軸受部材１２に両端を掛合して軸承する支軸１３と、この支軸１３の両端外周の等間隔に設けてある膨出材１４に両端を溶接により固着して並列状に並べた水平材１５と、この水平材１５の外側に杆材を螺旋状に巻回した螺旋杆材１６を溶接により固着して螺旋条１１を形成する。
【００２４】
勿論、螺旋条１１は、図示のように一方向に螺旋状に巻回して、掻き落とす残滓物をベルトコンベヤＡの片側外側方に搬送（送り出す）するようにしたが、限定されず、中央から両外側端に左巻き、右巻きに巻回したものを使用して、中央から両外側方に移送（送り出す）することもできる。
【００２５】
なお、スパイラルローラＢは、図３に示す場合、ベルト３の長手方向前後に３本並列したが、限定されず、例えば図６に示すように前後に５本並列してもよい。
【００２６】
さらに、スパイラルローラＢの設置場所の上方でリターン側ベルト３の裏面両外側には、両端がベルト３の長手方向に向く左右対のアーム１７の中間を支軸１８を介し揺動自在に軸承してある。
【００２７】
そして、左右のアーム１７のベルト３の走行方向に向く両端側にベルト３を押さえ込む押さえローラ１９が、左右のアーム１７のベルト３の走行方向の反対側に向く両端間にベルト３を押さえ込む押さえローラ１９が設けてある（フリーに回転するように）。
【００２８】
上記前後に押さえローラ１９，１９を設ける要因は、ベルト３の遊動（上下方向の）にともない、前後片方の押さえローラ１９が上昇すると、アーム１７を揺動させてもう片方の押さえローラ１９が降下する。
【００２９】
その結果、降下する押さえローラ１９によりスパイラルローラＢの周面にベルト３を押し付けることになる。すなわち、ベルト３の遊動を確実に捉えて、常に安定したスパイラ
ルローラＢとベルト３とを接触させると共に、接触を押圧状態にする。
【００３０】
このため、スパイラルローラＢの螺旋条１１によるベルト３の表面残滓物の掻き落としを確実に、かつ効果的に行うことになる。すなわち、ベルト３の表面に対する残滓物の付着を極力なくする掻き落としができる。
【００３１】
また、スパイラルローラＢの前方リターン側ベルト３の表面を支承するリターンローラ５には、周面とベルト３との接触を極力低減するリターンローラ５が使用される。
【００３２】
上記のリターンローラ５としては、図７に示すように支軸２１を介し連結した中折れリンク２２の両端に内端を連結した左右の短尺なローラによりベルト３の両端縁部を支承して、リターンローラ５とベルト３との接触を減少した（例えば、実用新案登録第３１８２５３６号公報参照）ものや、図８に示すように鍔２３付ローラのリターンローラ５を使用して、鍔とベルト３との接触により目的を達成した（例えば、特開平８−５８９５０号公報参照）ものや、図９に示すように外周の所用間隔位置に環状溝２４を設けて目的を達成したものがある。
【００３３】
すると、リターン側ベルト３から衝撃や全面接触による落荷を極力抑止して、付着残滓物をキャリヤ側に戻すことができ、リターン側ベルト３直下への落荷を極力なくすると共に、これにより手間のかかる清掃作業や作業にともなう出費を低減することができる。
図中４１はベルトクリーナー、４２はガイドローラである。
【符号の説明】
【００３４】
Ａ  ベルトコンベヤ
Ｂ  スパイラルローラ
１  ヘッドプーリ
２  テールプーリ
３  ベルト
４  キャリヤローラ
５  リターンローラ
６  コンベヤフレーム
７  水平材
８  スタンド
１１  螺旋条
１２  軸受部材
１３  支軸
１４  膨出材
１５  杆材
１６  螺旋杆
１７  アーム
１８  支軸
１９  押さえローラ
【図１】
0003187959.tif 000003
【図２】
0003187959.tif 000004
【図３】
0003187959.tif 000005
【図４】
0003187959.tif 000006
【図５】
0003187959.tif 000007
【図６】
0003187959.tif 000008
【図７】
0003187959.tif 000009
【図８】
0003187959.tif 000010
【図９】
0003187959.tif 000011
【手続補正書】
【提出日】平成25年10月17日(2013.10.17)
【手続補正１】
【補正対象書類名】実用新案登録請求の範囲
【補正対象項目名】全文
【補正方法】変更
【補正の内容】
【実用新案登録請求の範囲】
【請求項１】
前後に位置するヘッドプーリ及びテールプーリと、このヘッドプーリとテールプーリとにかけ渡した無端状のベルトと、このベルトのキャリヤ側で、上記ベルトの裏面を支承するように並列状に配置したキャリヤローラと、ベルトのリターン側で、上記ベルトの表面を支承するように並列状に配置したリターンローラとからなるベルトコンベヤにおいて、上記リターンベルトの付着残滓物の除去を必要とする位置に外周面の螺旋条が前後リターン側ベルトの表面に接触して、前記リターン側ベルトを横切るよう複数本の並列する残滓物掻き取りフリー回転のスパイラルローラを設け、上記リターン側ベルトの表面両側外方に両端が前記リターン側ベルトの長手方向に向くアームの中間を支軸を介し揺動自在に支持すると共に、このアームのベルトの走行方向に向く両端間と、ベルトの走行方向の反対側に向く両端間とに上記スパイラルローラにリターン側のベルトを押し付ける押さえローラを架設し、上記リターンローラの外周にベルトの表面に対する接触を低減するための環状の並列する突条或いは溝条を設けたことを特徴とするベルトコンベヤのクリーニング装置。
【手続補正２】
【補正対象書類名】明細書
【補正対象項目名】００１２
【補正方法】変更
【補正の内容】
【００１２】
上記の課題を解決するために、この考案は、前後に位置するヘッドプーリ及びテールプーリと、このヘッドプーリとテールプーリとにかけ渡した無端状のベルトと、このベルトのキャリヤ側で、上記ベルトの裏面を支承するように並列状に配置したキャリヤローラと、ベルトのリターン側で、上記ベルトの表面を支承するように並列状に配置したリターンローラとからなるベルトコンベヤにおいて、上記リターンベルトの付着残滓物の除去を必要とする位置に外周面の螺旋条が前後リターン側ベルトの表面に接触して、前記リターン側ベルトを横切るよう複数本の並列する残滓物掻き取りフリー回転のスパイラルローラを設け、上記リターン側ベルトの表面両側外方に両端が前記リターン側ベルトの長手方向に向くアームの中間を支軸を介し揺動自在に支持すると共に、このアームのベルトの走行方向に向く両端間と、ベルトの走行方向の反対側に向く両端間とに上記スパイラルローラにリターン側のベルトを押し付ける押さえローラを架設し、上記リターンローラの外周にベルトの表面に対する接触を低減するための環状の並列する突条或いは溝条を設けた構成を採用する。
【手続補正３】
【補正対象書類名】明細書
【補正対象項目名】００１７
【補正方法】変更
【補正の内容】
【００１７】
また、スパイラルローラを通過した以後のリターン側ベルトを支承するリターンローラ
の外周にベルト表面に対する接触を低減するための環状の並列する突条或いは溝条を設けてあるので、ベルトの全幅とリターンローラの全長接触による従来のような通過時の接触振動や衝撃などによる残滓物の落下を極力抑止し、キャリヤ側に返すことになる利点もある。
【手続補正４】
【補正対象書類名】明細書
【補正対象項目名】００３２
【補正方法】変更
【補正の内容】
【００３２】
上記のリターンローラ５の突条、溝条としては、図７に示すように支軸２１を介し連結した中折れリンク２２の両端に内端を連結した左右の短尺なローラによりベルト３の両端縁部を支承して、リターンローラ５とベルト３との接触を減少した（例えば、実用新案登録第３１８２５３６号公報参照）ものや、図８に示すように鍔２３付ローラのリターンローラ５を使用して、鍔とベルト３との接触により目的を達成した（例えば、特開平８−５８９５０号公報参照）ものや、図９に示すように外周の所用間隔位置に環状溝２４を設けて目的を達成したものがある。